【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
タッチセンサ式入力デバイスを使用して生成されるボタンアクションを報告するための、コンピュータにより実現される方法であって、
１つ以上のフレームを用いて、前記タッチセンサ式入力デバイスの表面にある指の数を検出するステップと、
前記フレームの１つにおいて、前記タッチセンサ式入力デバイスの表面にある２本の指を検出することに応答して、第１のボタン押下アクションを報告するステップであって、前記第１のボタン押下アクションが、右ボタン押下に対応する、前記ステップと、
前記フレームの１つにおいて、前記タッチセンサ式入力デバイスの表面にある１本の指を検出することに応答して、任意のボタンアクションを報告する前に、ある時間を待機するステップであって、前記時間が複数のフレームを備える、前記ステップと、
前記時間中に前記フレームの１つにおいて、前記タッチセンサ式入力デバイスの表面にある２本の指を検出することに応答して、前記第１のボタン押下アクションを報告するステップと、
前記時間中に前記フレームの全てについて、前記タッチセンサ式入力デバイスの表面にある１本の指を検出することに応答して、第２のボタン押下アクションを報告するステップであって、前記第２のボタン押下アクションが左ボタン押下に対応する、前記ステップと、
を含む、前記コンピュータにより実現される方法。
【請求項２】
前記タッチセンサ式入力デバイスの表面が、押圧されたと判定するステップを更に含む、請求項１記載のコンピュータにより実現される方法。
【請求項３】
前記タッチセンサ式入力デバイスの表面が、まだ押圧されているか否かを判定するステップと、
前記時間中に前記フレームの１つにおいて、前記タッチセンサ式入力デバイスの表面にある２本の指を検出すること、及び前記タッチセンサ式入力デバイスの表面がもはや押圧されなくなったと判定することに応答して、第１のボタン押下及び復帰アクションを報告するステップであって、前記第１のボタン押下及び復帰アクションが右クリックに対応する、前記ステップと、
を更に含む、請求項２記載のコンピュータにより実現される方法。
【請求項４】
前記タッチセンサ式入力デバイスの表面が、まだ押圧されているか否かを判定するステップと、
前記時間中に前記フレームの全てについて、前記タッチセンサ式入力デバイスの表面にある１本の指を検出すること、及び前記タッチセンサ式入力デバイスの表面がもはや押圧されなくなったと判定することに応答して、第２のボタン押下及び復帰アクションを報告するステップであって、前記第２のボタン押下及び復帰アクションが左クリックに対応する、前記ステップと、
を更に含む、請求項２記載のコンピュータにより実現される方法。
【請求項５】
タッチセンサ式入力デバイスを使用して生成されるボタンアクションを報告するための、コンピュータにより実現される方法であって、
前記タッチセンサ式入力デバイスの表面が押圧されたと判定するステップと、
前記タッチセンサ式入力デバイスの表面にある指の数を検出するステップと、
前記タッチセンサ式入力デバイスの表面がまだ押圧されているか否かを判定するステップと、
前記タッチセンサ式入力デバイスの表面にある２本の指を検出すること、及び前記タッチセンサ式入力デバイスの表面がもはや押圧されなくなったと判定することに応答して、第１のボタン押下及び復帰アクションを報告するステップであって、前記第１のボタン押下及び復帰アクションが右クリックに対応する、前記ステップと、
前記タッチセンサ式入力デバイスの表面にある１本の指を検出することに応答して、任意のボタンアクションを報告する前に、ある時間を待機するステップと、
前記時間が経過する前に、前記タッチセンサ式入力デバイスの表面にある２本の指を検出すること、及び前記タッチセンサ式入力デバイスの表面がもはや押圧されなくなったと判定することに応答して、前記第１のボタン押下及び復帰アクションを報告するステップと、
前記時間が経過した後に、前記タッチセンサ式入力デバイスの表面にある１本の指を検出すること、及び前記タッチセンサ式入力デバイスの表面がもはや押圧されなくなったと判定することに応答して、第２のボタン押下及び復帰アクションを報告するステップであって、前記第２のボタン押下及び復帰アクションが左クリックに対応する、前記ステップと、
を含む、前記コンピュータにより実現される方法。
【請求項６】
前記時間が経過した後に、前記タッチセンサ式入力デバイスの表面にある指の数を検出するステップと、
前記時間が経過した後に、前記タッチセンサ式入力デバイスの表面にある２本の指を検出すること、及び前記タッチセンサ式入力デバイスの表面がもはや押圧されなくなったと判定することに応答して、前記第１のボタン押下及び復帰アクションを報告するステップと、
を更に含む、請求項５記載のコンピュータにより実現される方法。
【請求項７】
前記時間中に、前記タッチセンサ式入力デバイスの表面にある指の数を検出するステップと、
前記時間中に、前記タッチセンサ式入力デバイスの表面にある１本の指を検出すること、及び前記タッチセンサ式入力デバイスの表面が押圧されていると判定することに応答して、前記タッチセンサ式入力デバイスの表面にある指の数を検出するステップを繰り返すステップと、
を更に含む、請求項５記載のコンピュータにより実現される方法。
【請求項８】
前記時間が多数のフレームを備え、前記タッチセンサ式入力デバイスの表面にある指の数を検出するステップが、前記時間が経過するまで、または前記表面がもはや押圧されなくなるまで、各フレームについて繰り返される、請求項５記載のコンピュータにより実現される方法。
【請求項９】
前記フレームの１つについて、前記タッチセンサ式入力デバイスの表面にある２本の指を検出すること、及び前記タッチセンサ式入力デバイスの表面がもはや押圧されなくなったと判定することに応答して、前記第１のボタン押下及び復帰アクションを報告するステップを更に含む、請求項８記載のコンピュータにより実現される方法。
【請求項１０】
タッチセンサ式入力デバイスの使用に対応するアクションを報告するためのシステムであって、
タッチセンサ式入力デバイスと、
処理ユニットであって、
１つ以上のフレームを用いて、前記タッチセンサ式入力デバイスの表面にある指の数を検出し、
前記フレームの１つにおいて、前記タッチセンサ式入力デバイスの表面にある２本の指を検出することに応答して、第１のボタン押下アクションを報告し、ここで、前記第１のボタン押下アクションは、右ボタン押下に対応し、
前記フレームの１つにおいて、前記タッチセンサ式入力デバイスの表面にある１本の指を検出することに応答して、任意のボタンアクションを報告する前に、ある時間を待機し、ここで、前記時間が複数のフレームを備え、
前記時間中に前記フレームの１つにおいて、前記タッチセンサ式入力デバイスの表面にある２本の指を検出することに応答して、前記第１のボタン押下アクションを報告し、かつ
前記時間中に前記フレームの全てについて、前記タッチセンサ式入力デバイスの表面にある１本の指を検出することに応答して、第２のボタン押下アクションを報告し、ここで、前記第２のボタン押下アクションが左ボタン押下に対応するように構成されている、前記処理ユニットと、
を備える、前記システム。
【請求項１１】
前記処理ユニットが、前記タッチセンサ式入力デバイスの表面が押圧されたと判定するように更に構成されている、請求項１０記載のシステム。
【請求項１２】
前記処理ユニットが、
前記タッチセンサ式入力デバイスの表面が、まだ押圧されているか否かを判定し、かつ
前記時間中に前記フレームの１つにおいて、前記タッチセンサ式入力デバイスの表面にある２本の指を検出すること、及び前記タッチセンサ式入力デバイスの表面がもはや押圧されなくなったと判定することに応答して、第１のボタン押下及び復帰アクションを報告し、ここで、前記第１のボタン押下及び復帰アクションが右クリックに対応するように更に構成されている、請求項１１記載のシステム。
【請求項１３】
前記処理ユニットが、
前記タッチセンサ式入力デバイスの表面が、まだ押圧されているか否かを判定し、かつ
前記時間中に前記フレームの全てについて、前記タッチセンサ式入力デバイスの表面にある１本の指を検出すること、及び前記タッチセンサ式入力デバイスの表面がもはや押圧されなくなったと判定することに応答して、第２のボタン押下及び復帰アクションを報告し、ここで、前記第２のボタン押下及び復帰アクションが左クリックに対応するように更に構成されている、請求項１１記載のシステム。
【請求項１４】
タッチセンサ式入力デバイスの使用に対応するアクションを報告するためのシステムであって、
タッチセンサ式入力デバイスと、
処理ユニットであって、
前記タッチセンサ式入力デバイスの表面が押圧されたと判定し、
前記タッチセンサ式入力デバイスの表面にある指の数を検出し、
前記タッチセンサ式入力デバイスの表面がまだ押圧されているか否かを判定し、
前記タッチセンサ式入力デバイスの表面にある２本の指を検出すること、及び前記タッチセンサ式入力デバイスの表面がもはや押圧されなくなったと判定することに応答して、第１のボタン押下及び復帰アクションを報告し、ここで、前記第１のボタン押下及び復帰アクションが右クリックに対応し、
前記タッチセンサ式入力デバイスの表面にある１本の指を検出することに応答して、任意のボタンアクションを報告する前に、ある時間を待機し、
前記時間が経過する前に、前記タッチセンサ式入力デバイスの表面にある２本の指を検出すること、及び前記タッチセンサ式入力デバイスの表面がもはや押圧されなくなったと判定することに応答して、前記第１のボタン押下及び復帰アクションを報告し、かつ
前記時間が経過した後に、前記タッチセンサ式入力デバイスの表面にある１本の指を検出すること、及び前記タッチセンサ式入力デバイスの表面がもはや押圧されなくなったと判定することに応答して、第２のボタン押下及び復帰アクションを報告し、ここで、前記第２のボタン押下及び復帰アクションが左クリックに対応するように構成されている、前記処理ユニットと、
を備える、前記システム。
【請求項１５】
前記処理ユニットが、
前記時間が経過した後に、前記タッチセンサ式入力デバイスの表面にある指の数を検出し、かつ
前記時間が経過した後に、前記タッチセンサ式入力デバイスの表面にある２本の指を検出すること、及び前記タッチセンサ式入力デバイスの表面がもはや押圧されなくなったと判定することに応答して、前記第１のボタン押下及び復帰アクションを報告するように更に構成されている、請求項１４記載のシステム。
【請求項１６】
前記処理ユニットが、
前記時間中に、前記タッチセンサ式入力デバイスの表面にある指の数を検出し、かつ
前記時間中に、前記タッチセンサ式入力デバイスの表面にある１本の指を検出すること、及び前記タッチセンサ式入力デバイスの表面が押圧されていると判定することに応答して、前記タッチセンサ式入力デバイスの表面にある指の数を検出することを繰り返すように更に構成されている、請求項１４記載のシステム。
【請求項１７】
前記時間が多数のフレームを備え、かつ前記処理ユニットが、前記タッチセンサ式入力デバイスの表面にある指の数を検出し、前記時間が経過するまで又は前記表面がもはや押圧されなくなるまで、各フレームについて繰り返されるように構成されている、請求項１４記載のシステム。
【請求項１８】
前記処理ユニットが、前記フレームの１つについて、前記タッチセンサ式入力デバイスの表面にある２本の指を検出すること、及び前記タッチセンサ式入力デバイスの表面がもはや押圧されなくなったと判定することに応答して、前記第１のボタン押下及び復帰アクションを報告するように更に構成されている、請求項１７記載のシステム。